(57)【要約】【課題】高感度測定を行うことができる浮遊粒子状物質濃度測定装置および方法ならびに浮遊粒子状物質濃度測定用フィルタテープを提供する。【解決手段】浮遊粒子状物質を捕集してなる測定スポット４が形成された後、前記浮遊粒子状物質の測定が行われる浮遊粒子状物質測定用フィルタテープ１であって、保護テープ８を重ねた状態で巻回してある。【選択図】　　　図１
2004012199.tif 000002
【特許請求の範囲】
【請求項１】
浮遊粒子状物質を捕集してなる測定スポットが形成された後、前記浮遊粒子状物質の測定が行われる浮遊粒子状物質測定用フィルタテープであって、保護テープを重ねた状態で巻回してあることを特徴とする浮遊粒子状物質濃度測定用フィルタテープ。
【請求項２】
請求項１に記載の浮遊粒子状物質濃度測定用フィルタテープと、このフィルタテープがロール状に巻回される供給リールと、この供給リールから送りだされたフィルタテープを巻き取る巻取リールと、前記フィルタテープに浮遊粒子状物質を捕集させて測定スポットを形成するための捕集部と、前記測定スポット上に捕集された浮遊粒子状物質を測定するための測定部とを備えた浮遊粒子状物質測定装置であって、前記フィルタテープに保護テープを重ねた状態で前記供給リールに巻回しておき、フィルタテープが前記捕集部を通過するときには保護テープがフィルタテープから分離しているように構成したことを特徴とする浮遊粒子状物質濃度測定装置。
【請求項３】
フィルタテープに浮遊粒子状物質を捕集させて測定スポットを形成した後、測定部に送り、前記測定スポット上に捕集された浮遊粒子状物質を測定する浮遊粒子状物質測定方法であって、前記測定部に通過させる前の前記フィルタテープには保護テープが重なった状態とし、フィルタテープが捕集部を通過するときには、前記保護テープがフィルタテープから分離した状態とすることを特徴とする浮遊粒子状物質濃度測定方法。
【請求項４】
浮遊粒子状物質を捕集してなる測定スポットが形成された後、前記浮遊粒子状物質の測定が行われる浮遊粒子状物質測定用フィルタテープであって、その縁部に補強部が形成されていることを特徴とする浮遊粒子状物質濃度測定用フィルタテープ。
【請求項５】
前記補強部が、表面または裏面のいずれか一方または両方に形成された帯状の層あるいは表面から裏面にかけて形成された帯状の層からなる請求項４に記載の浮遊粒子状物質濃度測定用フィルタテープ。
【発明の詳細な説明】
【０００１】
【発明の属する技術分野】
本発明は、例えば、大気中の浮遊粒子状物質を測定するための浮遊粒子状物質濃度測定装置および方法ならびに浮遊粒子状物質濃度測定用フィルタテープに関する。
【０００２】
【従来の技術】
従来より、大気中の浮遊粒子状物質による健康障害が心配されており、ＳＰＭを測定できる浮遊粒子状物質濃度測定装置として、フィルタテープと、このフィルタテープがロール状に巻回される供給リールと、この供給リールから送りだされたフィルタテープを巻き取る巻取リールと、前記フィルタテープに浮遊粒子状物質を捕集させて測定スポットを形成するための捕集部と、前記測定スポット上に捕集された浮遊粒子状物質にβ線を照射し、その透過光を検出する測定部とを備えたものがあり、上記の構成からなる装置では、前記測定部における透過したβ線の検出値に基づいて前記浮遊粒子状物質の濃度を導出していた。
【０００３】
ところで、近年では、測定対象として重視される前記浮遊粒子状物質の粒子径が、１０μｍ以下のもの（以下、「ＳＰＭ」という）から２．５μｍ以下のもの（以下、「ＰＭ２．５」という）へと移行しつつある。そして、測定対象とする浮遊粒子状物質の粒子径が小さくなると、一般的に、前記測定スポット上に捕集される浮遊粒子状物質の絶対量も少なくなることから、粒子径の小さい浮遊粒子状物質を測定するためには、測定感度を上げる必要がある。
【０００４】
【発明が解決しようとする課題】
そこで、前記フィルタテープを薄く、軽く（密度を小さく）して、フィルタテープの厚みや密度に起因するバックグラウンド値を下げることによって、前記測定感度を上げることが考えられる。しかし、この場合、フィルタテープの引張強度が下がることになり、上述した浮遊粒子状物質濃度測定装置に用いると、フィルタテープの変形や破断が発生するおそれが生じることとなっていた。
【０００５】
本発明は上述の事柄に留意してなされたもので、その目的は、高感度測定を行うことができる浮遊粒子状物質濃度測定装置および方法ならびに浮遊粒子状物質濃度測定用フィルタテープを提供することである。
【０００６】
【課題を解決するための手段】
上記目的を達成するために、本発明の浮遊粒子状物質濃度測定用フィルタテープは、浮遊粒子状物質を捕集してなる測定スポットが形成された後、前記浮遊粒子状物質の測定が行われる浮遊粒子状物質測定用フィルタテープであって、保護テープを重ねた状態で巻回してある（請求項１）。
【０００７】
本発明の浮遊粒子状物質濃度測定方法は、請求項１に記載の浮遊粒子状物質濃度測定用フィルタテープと、このフィルタテープがロール状に巻回される供給リールと、この供給リールから送りだされたフィルタテープを巻き取る巻取リールと、前記フィルタテープに浮遊粒子状物質を捕集させて測定スポットを形成するための捕集部と、前記測定スポット上に捕集された浮遊粒子状物質を測定するための測定部とを備えた浮遊粒子状物質測定装置であって、前記フィルタテープに保護テープを重ねた状態で前記供給リールに巻回しておき、フィルタテープが前記捕集部を通過するときには保護テープがフィルタテープから分離しているように構成した（請求項２）。
【０００８】
上記の構成により、高感度測定を行うことができる浮遊粒子状物質濃度測定用フィルタテープおよびこのフィルタテープを用いた浮遊粒子状物質濃度測定装置を提供することができる。
【０００９】
本発明の浮遊粒子状物質濃度測定方法は、フィルタテープに浮遊粒子状物質を捕集させて測定スポットを形成した後、測定部に送り、前記測定スポット上に捕集された浮遊粒子状物質を測定する浮遊粒子状物質測定方法であって、前記測定部に通過させる前の前記フィルタテープには保護テープが重なった状態とし、フィルタテープが捕集部を通過するときには、前記保護テープがフィルタテープから分離した状態とする（請求項３）。
【００１０】
上記の構成により、高感度測定を行うことができる浮遊粒子状物質濃度測定方法を提供することができる。
【００１１】
本発明の他の浮遊粒子状物質濃度測定用フィルタテープは、浮遊粒子状物質を捕集してなる測定スポットが形成された後、前記浮遊粒子状物質の測定が行われる浮遊粒子状物質測定用フィルタテープであって、その縁部に補強部が形成されている（請求項４）。
【００１２】
また、前記補強部が、表面または裏面のいずれか一方または両方に形成された帯状の層あるいは表面から裏面にかけて形成された帯状の層からなるとしてもよい（請求項５）。
【００１３】
上記の構成により、高感度測定を行うことができる浮遊粒子状物質濃度測定用フィルタテープを提供することができる。
【００１４】
【発明の実施の形態】
本発明の実施の形態を、図面を参照しながら説明する。
図１は、本発明の第一実施例に係る浮遊粒子状物質濃度測定方法を実施するための浮遊粒子状物質濃度測定装置（以下、単に測定装置という）Ｄの構成を概略的に示す説明図である。
測定装置Ｄは、例えば、大気中のＳＰＭ又はＰＭ２．５を測定して大気汚染を監視するためのものであり、フィルタテープ１と、このフィルタテープ１がロール状に巻回される供給リール２と、この供給リール２から送りだされたフィルタテープ１を巻き取る巻取リール３と、前記フィルタテープ１に浮遊粒子状物質を捕集させて測定スポット４（図２参照）を形成するための捕集部５と、前記測定スポット４上に捕集された浮遊粒子状物質を測定するための測定部６とを備えており、前記捕集部５および測定部６は、チャンバ７内に収容されている。
【００１５】
そして、本実施例では、前記フィルタテープ１に保護テープ８を重ねた状態で前記供給リール２に巻回してあるとともに、フィルタテープ１が前記チャンバ７内の捕集部６を通過するときには保護テープ８がフィルタテープ１から分離しており、さらに、前記測定部６を通過した後のフィルタテープ１が、前記保護テープ８と重なった状態で前記巻取リール２に巻き取られるように構成してある。
【００１６】
前記フィルタテープ１は、例えば、ガラス繊維やろ紙などからなり、長さが約４０ｍのテープである。
【００１７】
前記保護テープ８は、例えば、ポリエチレン，ポリプロピレンなどの合成樹脂や不織布などからなる。なお、保護テープ８としては、前記フィルタテープ１よりも伸び率が小さく、かつ引張強度が大きいものが好ましい。
【００１８】
そして、本実施例では、前記フィルタテープ１および保護テープ８が、前記供給リール２から巻取リール３へと送られる間に、供給リール２側から順に、搬送センサ付きリール９，第一挟持部１０，第一分離保持部１１，前記チャンバ７，第二分離保持部１２，第二挟持部１３，リール１４を経るように構成されている。
【００１９】
また、前記フィルタテープ１の上面および保護テープ８の下面のいずれか一方または両方の縁部（縁部付近を含む）には、図２（Ａ）および（Ｂ）に示すように、両者１，８を着脱自在に接着する手段としての接着部１５が適宜の間隔をあけて連続的に設けられている。前記接着部１５を形成するための材料は、例えば、弱粘着性を有する接着剤である。
【００２０】
前記捕集部５の上流側にはボリュームサンプラ（定量サンプリング手段）としてのサイクロン（サイクロン式ボリュームサンプラ）１６が、また、下流側には真空ポンプなどのサンプリングポンプ（図示せず）がそれぞれ設けられており、サンプリングポンプの吸引によって大気がサイクロン１６内へと導入され、サイクロン１６のはたらきによって浮遊粒子状物質の濃度が高められた大気が捕集部５へと送られることになる。なお、前記サイクロン１６に代えて、インパクタ（インパクト式ローボリュームサンプラ）を用いてもよく、サイクロン１６とインパクタとを併せて設けるようにしてもよい。両方設ける場合には、例えば、サイクロン１６およびインパクタのいずれか一方のみを選択して使用できるように切換機構を設ければよい。
【００２１】
また、前記捕集部５は前記フィルタテープ１の上面側に配置されており（言い換えれば、フィルタテープ１が捕集部５の下面側を通るように構成されており）、捕集部５へと至った大気は、前記サンプリングポンプによって、フィルタテープ１をその上面側から下面側へと通過するように構成されている。そして、フィルタテープ１に対する大気の通過が一定時間（例えば、１時間）行われることにより、図２（Ａ）に示すように、前記測定スポット４がフィルタテープ１に形成されるのである。
【００２２】
前記測定部６は、前記フィルタテープ１に対してその下面側から光を照射する光源（図示せず）と、この光源から照射され、フィルタテープ１を透過した光を検出する検出器（図示せず）とからなる。なお、前記光源は、例えば、β線を照射するβ線源であり、フィルタテープ１の下面側に配置されている。また、前記検出器は、フィルタテープ１の上面側に配置されている。
【００２３】
前記チャンバ７は、前記フィルタテープ１の上面側に配置される上層部７ａと、下面側に配置される下層部７ｂとからなり、上層部７ａ内には、前記捕集部５，測定部６の前記検出器が収容されており、下層部７ｂ内には、前記サンプリングポンプ，測定部６の光源が収容されている。
【００２４】
前記搬送センサ付きリール９は、フィルタテープ１が一定の長さだけ供給リール２側から巻取リール３側へと送られた（巻き取られた）ことを検知する搬送センサ９ａを有している。
【００２５】
前記第一挟持部１０は、二つのリール１０ａ，１０ｂを接近させた状態で配置してなる。
【００２６】
前記第一分離保持部１１は、二つのリール１１ａ，１１ｂをある程度離した状態で配置してなる。
【００２７】
前記第二分離保持部１２は、二つのリール１２ａ，１２ｂをある程度離した状態で配置してなる。なお、前記リール１１ａ，１１ｂの間隔と、リール１２ａ，１２ｂの間隔とはほぼ同じ程度となっている。
【００２８】
前記第二挟持部１３は、二つのリール１３ａ，１３ｂを接近させた状態で配置してなる。
【００２９】
次に、上記の構成からなる測定装置Ｄの動作について説明する。
前記供給リール２に前記保護テープ８とともにロール状に巻回されてセットされた浮遊粒子状物質を吸着する前のフィルタテープ１は、供給リール２から一定時間（例えば、１時間）の測定毎に一定長さだけ送りだされ、送りだされたフィルタテープ１に対して捕集部５において浮遊粒子状物質を吸着させて測定スポット４を形成し、その後、測定部６において測定スポット４を測定に使用するのであり、フィルタテープ１は、測定スポット４が形成されたのち、測定に使用された部分から、順次巻取リール３によって巻き取られていくのである。
【００３０】
詳しくは、前記供給リール２から送りだされたフィルタテープ１および保護テープ８は、重なった（接着した）状態で前記搬送センサ付きリール９を通過し、前記第一挟持部１０におけるリール１０ａ，１０ｂの間へと至った後に分離するのであり、前記フィルタテープ１はその後、前記第一分離保持部１１の下側のリール１１ａの下面側，前記チャンバ７内，前記第二分離保持部１２の下側のリール１２ａの下面側を経た後、前記第二挟持部１３におけるリール１３ａ，１３ｂの間へと至る。一方、前記保護テープ８は、前記第一挟持部１０における分離後、前記第一分離保持部１１の上側のリール１１ｂの上面側，前記第二分離保持部１２の上側のリール１２ｂの上面側を経た後、前記フィルタテープ１と同様に前記第二挟持部１３におけるリール１３ａ，１３ｂの間へと至り、ここにおいて、前記フィルタテープ１と保護テープ８とが再び重なった（接着した）状態となり、この状態で前記リール１４を通り、最後に前記巻取リール３に巻き取られるのである。
【００３１】
そして、本実施例の測定装置Ｄでは、まず、前記巻取リール３によるフィルタテープ１および保護テープ８の巻き取りを開始し、フィルタテープ１および保護テープ８が一定の長さだけ巻き取られたことを搬送センサ付きリール９の搬送センサ９ａが検知すると、その信号が図示しない制御部に送られ、制御部からの信号によって巻取リール３によるフィルタテープ１および保護テープ８の巻き取りが停止する。このような巻取リール３によるフィルタテープ１および保護テープ８の巻き取りは、定期的（例えば、一時間毎）に繰り返し行われることになる。
【００３２】
そして、フィルタテープ１および保護テープ８の巻き取りが停止した状態では、上述したように、サンプリングポンプの吸引によって、浮遊粒子状物質を含む大気が、サイクロン１６，捕集部５を経て、フィルタテープ１のチャンバ７内にある部分の上面側から下面側へと通過するように誘導され、これによって、前記測定スポット４がフィルタテープ１に形成されることになる。
【００３３】
上記のように、捕集部５において形成された測定スポット４は、巻取リール３によるフィルタテープ１および保護テープ８の巻き取りにより、前記測定部６へと移動することになる。そして、この測定部６では、測定スポット４に対して前記光源からβ線が照射され、測定スポット４を透過したβ線が検出器によって検出される。なお、浮遊粒子状物質の濃度は、前記測定スポット４を透過したβ線の強度に基づいて算出することができる。
【００３４】
上記のように測定がなされた測定スポット４は、フィルタテープ１が測定部６の後段にある第二挟持部１３に至り、保護テープ８と重なった（接着した）ときに前記保護テープ８で覆われることとなり、フィルタテープ１は保護テープ８と重なった（接着した）状態で前記リール１４を経て、巻取リール３に巻き取られ、その状態で保管されることになる。
【００３５】
上記の構成からなる測定装置Ｄでは、前記フィルタテープ１にかかるテンションを前記保護テープ８によって規制・低下させることができ、フィルタテープ１の引張強度を下げても、フィルタテープ１の変形や破断の発生の防止を確実に行うことが可能となることから、例えば、前記フィルタテープ１を薄く、軽く（密度を小さく）して、フィルタテープ１の厚みや密度に起因するバックグラウンド値を下げることによって、高感度測定を行うことができる。
【００３６】
また、前記フィルタテープ１が前記供給リール２から巻取リール３へと至るまでの間において、前記搬送センサ付きリール９およびリール１４を通過する位置の付近でフィルタテープ１に対して最もテンションがかかるのであるが、前記測定装置Ｄでは、フィルタテープ１を保護テープ８と重ねた状態で供給リール２に巻回してあり、また、前記捕集部５に至る前のフィルタテープ１も保護テープ８に重ねた状態としてあるとともに、前記測定部６を通過した後のフィルタテープ１に保護テープ８を重ね、前記フィルタテープ１を保護テープ８と重ねた状態で前記巻取リール３に巻き取るようにしてあることから（言い換えれば、前記搬送センサ付きリール９およびリール１４付近を通過するときのフィルタテープ１は保護テープ８と重なった状態となっていることから）、前記巻取リール３によってフィルタテープ１を巻き取る際にフィルタテープ１に破断等が生じることをより有効に防止でき、それ故に、例えば、前記フィルタテープ１を薄く、軽く（密度を小さく）して、フィルタテープ１の厚みや密度に起因するバックグラウンド値を下げることによって、測定の高感度化を達成しうるのである。
【００３７】
また、前記フィルタテープ１が薄くなると、供給リール２や巻取リール３に巻回されている状態としたときに、フィルタテープ１同士が接着してしまい、これによって、フィルタテープ１を供給リール２や巻取リール３から引き出したときに、フィルタテープ１が破損する等の問題が生じるおそれがあるが、本実施例の測定装置Ｄでは、フィルタテープ１に保護テープ８を重ねた（接着した）状態で供給リール２および巻取リール３に巻回することから、前記フィルタテープ１と保護テープ８との接着が行われにくいように構成しておくことにより、上記のような問題の発生を防止することができる。
【００３８】
さらに、大気中の浮遊粒子状物質を捕集してなる測定スポット４を、前記保護テープ８で覆った状態で保管するようにしてあることから、前記測定スポット４に捕集されている浮遊粒子状物質を状態良く保存することができる。
【００３９】
なお、上記実施例では、前記接着部１５が、前記フィルタテープ１の上面および保護テープ８の下面のいずれか一方または両方の縁部に間隔をあけた状態で設けられているが、このような構成に限るものではなく、例えば、前記接着部１５を、前記フィルタテープ１の上面および保護テープ８の下面のいずれか一方または両方の側端部に間隔をあけずに連続的に設けてもよい。また、前記接着部１５を設けなくともよい。
【００４０】
本発明の第一実施例に係る浮遊粒子状物質濃度測定方法は、前記測定装置Ｄを用いて実施できるものであり、測定装置Ｄによって得られる効果と同様の効果を得ることができる。
【００４１】
図３は、本発明の第二実施例に係る浮遊粒子状物質濃度測定方法を実施するための浮遊粒子状物質濃度測定装置（以下、単に測定装置という）Ｄ２　の構成を概略的に示す説明図、図４（Ａ）および（Ｂ）は、前記測定装置Ｄ２　の要部の構成を概略的に示す斜視図である。なお、上記第一実施例に示したものと同一構造の部材については、同じ符号を付し、その説明を省略する。
第一実施例の測定装置Ｄでは、前記フィルタテープ１にかかるテンションを保護テープ８によって規制・低減することによって、フィルタテープ１を保護し、その破損等を防止するようにしていたのに対し、第二実施例の測定装置Ｄ２　では、フィルタテープ１自体の強度を上げることによって、フィルタテープ１の破損等を防止するようにしているのである。
【００４２】
すなわち、第二実施例の測定装置Ｄ２　は、第一実施例の測定装置Ｄに比して、前記保護テープ８が設けられておらず、代わりに、フィルタテープ１の一方または両方の縁部（縁部付近を含む）に補強部１７が形成されている点で主として異なる。
【００４３】
前記補強部１７は、前記フィルタテープ１の表面（上面）の縁部または裏面（下面）の縁部のいずれか一方または両方に形成された帯状の層であり、本実施例では、前記補強部１７は、フィルタテープ１の表面の両方の縁部に形成されている。
【００４４】
詳しくは、前記補強部１７は、例えば、ポリエチレンビニールからなる帯状の部材をフィルタテープ１の縁部に熱溶着によって溶着してなる。なお、補強部１７の形成方法は、上記のものに限られず、例えば、前記帯状の部材を接着剤によってフィルタテープ１に接着してもよく、また、補強部１７の材料をフィルタテープ１の縁部に塗布や印刷することなどによって前記補強部１７を形成してもよい。
【００４５】
上記の構成からなる測定装置Ｄ２　では、前記補強部１７によってフィルタテープ１の引張強度を上げ、フィルタテープ１の変形や破断の発生の防止を確実に行うことが可能となることから、例えば、前記フィルタテープ１を薄く、軽く（密度を小さく）して、フィルタテープ１の厚みや密度に起因するバックグラウンド値を下げることによって、高感度測定を行うことができる。
【００４６】
また、前記フィルタテープ１が薄くなると、供給リール２や巻取リール３に巻回されている状態としたときに、フィルタテープ１同士が接着してしまい、これによって、フィルタテープ１を供給リール２や巻取リール３から引き出したときに、フィルタテープ１が破損する等の問題が生じるおそれがあるが、本実施例の測定装置Ｄ２　では、フィルタテープ１に補強部１７を設けた状態で供給リール２および巻取リール３に巻回することから、前記フィルタテープ１同士の間に隙間を形成することができ、ひいては上記のような問題の発生を防止することができる。
【００４７】
さらに、前記測定装置Ｄ２　では、保護テープ８を用いないことから、上記第一実施例に示した第一挟持部１０，第一分離保持部１１，第二分離保持部１２および第二挟持部１３を設けなくともよいため、第一実施例の測定装置Ｄに比して、その構成がシンプルになり、ひいてはより低コストで製造することが可能となる。
【００４８】
なお、上記の構成からなる測定装置Ｄ２　に、第一実施例に示した保護テープ８を用いるようにしてもよい。この場合には、前記保護テープ８と補強部１７との両方の存在によって、前記フィルタテープ１をさらに薄く、かつ軽く（密度を小さく）することできるようになり、ひいてはさらなる高感度測定を行うことが可能となる。
【００４９】
本発明の第二実施例に係る浮遊粒子状物質濃度測定方法は、前記測定装置Ｄ２　を用いて実施できるものであり、測定装置Ｄ２　によって得られる効果と同様の効果を得ることができる。
【００５０】
ここで、上記第二実施例では、前記補強部１７が、フィルタテープ１の表面の両方の縁部に形成されているとしているが、このような構成に限るものではなく、例えば、図５（Ａ）に示すように、前記補強部１７を、前記フィルタテープ１の表面（上面）の縁部および裏面（下面）の縁部の両方に形成された帯状の層としてもよく、また、図５（Ｂ）に示すように、前記フィルタテープ１の表面から裏面にかけて形成された断面ほぼコの字形状を呈する帯状の層としてもよい。
【００５１】
さらに、図６（Ａ）に示すように、前記補強部１７を、フィルタテープ１の一方または両方の縁部に、糸状の部材を縫うことによって形成してもよい。
【００５２】
また、図６（Ｂ）に示すように、前記補強部１７を、フィルタテープ１の縁部を折り返すことによって形成してもよい。この場合、フィルタテープ１の縁部の折り返した部分を、接着剤等で接着したり、前記糸状の部材で縫合するようにしてもよい。
【００５３】
【発明の効果】
以上説明したように、本発明によれば、高感度測定を行うことができる浮遊粒子状物質濃度測定装置および方法ならびに浮遊粒子状物質濃度測定用フィルタテープを提供することができる。
【図面の簡単な説明】
【図１】本発明の第一実施例に係る浮遊粒子状物質濃度測定方法を実施するための浮遊粒子状物質濃度測定装置の構成を概略的に示す説明図である。
【図２】（Ａ）および（Ｂ）は、上記実施例の要部の構成を概略的に示す分解斜視図および縦断面図である。
【図３】本発明の第二実施例に係る浮遊粒子状物質濃度測定方法を実施するための浮遊粒子状物質濃度測定装置の構成を概略的に示す説明図である。
【図４】（Ａ）および（Ｂ）は、上記実施例の要部の構成を概略的に示す分解斜視図および縦断面図である。
【図５】（Ａ）および（Ｂ）は、上記実施例の要部の他の例およびさらに他の例の構成を概略的に示す縦断面図である。
【図６】（Ａ）および（Ｂ）は、上記実施例の要部の別の例およびさらに別の例の構成を概略的に示す説明図である。
【符号の説明】
１…フィルタテープ、２…供給リール、３…巻取リール、４…測定スポット、５…捕集部、６…測定部、８…保護テープ、Ｄ…浮遊粒子状物質測定装置。
【図１】
2004012199.tif 000003
【図２】
2004012199.tif 000004
【図３】
2004012199.tif 000005
【図４】
2004012199.tif 000006
【図５】
2004012199.tif 000007
【図６】
2004012199.tif 000008